(57)【要約】【課題】本発明が解決しようとする課題は、使用者が携帯端末を所持せずとも無線モジュールの搭載の有無を判断できるとともに、無線モジュールの点検を容易に認識する照明装置を提供する。【解決手段】実施形態の照明装置１０は、光源３２と、光源３２を点灯させる電源回路部３３と、電源回路部３３に接続された無線モジュール３４と、無線モニタランプ３６を備えている。無線モジュール３４は、着脱可能であり電源回路部３３を介して供給された電力により無線信号を送出する。無線モニタランプ３６は、電源回路部３３に接続され無線モジュール３４が通電している間点灯制御され、照明装置の外部から点灯状態を目視できる。【選択図】図３
2018120778.tif 000002
【特許請求の範囲】
【請求項１】
光源と；
電源からの電力供給により前記光源を点灯させる電源回路部と；
前記電源回路部に着脱可能であり、前記電源回路部を介して供給された電力により無線信号を送出する無線モジュールと；
前記電源回路部に接続され、前記無線モジュールが通電している間点灯制御され、外部から点灯状態を目視できる無線モニタランプと；
を具備していることを特徴とする照明装置。
【請求項２】
前記無線モニタランプは、点灯状態に周期性を有して点灯制御されることを特徴とする請求項１に記載の照明装置。
【請求項３】
前記無線モニタランプは、携帯端末から送信される特定の信号により点灯状態を変化させられることを特徴とする請求項１に記載の照明装置。
【請求項４】
外部電源の電力を充電可能な電池と、
通常時は前記外部電源により前記電池を充電し、非常時には前記電池の電力を供給する充電回路と、
を備えたことを特徴とする請求項１ないし請求項４のいずれか一項記載の照明装置。
【発明の詳細な説明】
【技術分野】
【０００１】
本発明の実施形態は、照明装置に関する。
【背景技術】
【０００２】
従来、例えばリモコンなどの外部装置からの要求信号の受信をトリガとして、外部装置に対して報知情報を送信する無線信号送出部を備えた照明装置がある。
【０００３】
また、近年では、充電池を内蔵する、非常灯あるいは誘導灯などにこの無線信号送出部が備えられ、充電池の充電状態や非常灯の点灯確認などの点検情報を無線信号として送出する防災照明装置がある。
【先行技術文献】
【特許文献】
【０００４】
【特許文献１】特開２０１６−２２５１７０号公報
【発明の概要】
【発明が解決しようとする課題】
【０００５】
しかしながら、上記の無線信号送出部を搭載した照明装置は、無線信号送出部が照明装置の内部に設けられており、その照明装置が無線信号送出部を搭載しているか否かを外観で判断することが難しい。また、無線信号送出部が正常に作動しているか確認するためには、携帯端末を照明装置に近づけて無線通信による確認作業が必要となる。
【０００６】
本発明が解決しようとする課題は、使用者が携帯端末を所持せずとも無線モジュールの搭載の有無を判断できるとともに、無線モジュールの点検を容易に認識する照明装置を提供することである。
【課題を解決するための手段】
【０００７】
実施形態の照明装置は、光源と、光源を点灯させる電源回路部と、電源回路部に接続された無線モジュールと、無線モニタランプを備えている。無線モジュールは、着脱可能であり電源回路部を介して供給された電力により無線信号を送出する。無線モニタランプは、電源回路部に接続され無線モジュールが通電している間点灯制御され、照明装置の外部から点灯状態を目視できる。
【発明の効果】
【０００８】
本発明によれば、無線モジュールに電力が供給されると点灯する無線モニタランプを備えることで、その照明器具が無線モジュールを搭載しているか否かの判断、および無線モジュールの状態を目視で確認できるため、点検作業の効率向上が期待できる。
【図面の簡単な説明】
【０００９】
【図１】実施形態の照明装置を示す斜視図である。
【図２】同上照明装置を示す正面図である。
【図３】同上照明装置を示す回路図である。
【図４】同上照明装置の動作を示すフローチャートである。
【発明を実施するための形態】
【００１０】
以下、実施形態を図面を参照して説明する。
【００１１】
図１から図３に示すように、照明装置１０は、例えば停電時などの非常時に点灯する非常灯であり、廊下や通路などの上方に設置される。
【００１２】
この照明装置１０は、光源３２と、電池３７と、電源回路部３３と、外部電源１８と接続される端子台１９と、無線モジュール３４と、無線モニタランプ３６とを備え、カバー１５と蓋１６とにより構成されている。
【００１３】
光源３２は、例えば発光ダイオード(ＬＥＤ)あるいはレーザダイオードなどの半導体発光素子、または、有機ＥＬ素子(ＯＬＥＤ)などで構成された発光モジュールが用いられ、白色光を出射するように構成されている。光源３２は、発光モジュールから放射された光の配光を制御する透明なガラス製または樹脂製のレンズを有する。
【００１４】
電池３７は、ニカド電池、ニッケル水素電池、あるいはリチウムイオン電池などの充電可能な二次電池である。
【００１５】
外部電源１８は、商用交流電源、あるいは直流電源など、任意の電源とすることが可能である。本実施形態では、外部電源を商用交流電源としている。
【００１６】
端子台１９は、カバー１５の背面側に設けられており、図示しない電線を介して外部電源１８と電源回路部３３とを電気的に接続するものである。
【００１７】
電源回路部３３は、外部電源１８および電池３７と電気的に接続されており、外部電源１８および電池３７からの電力を光源３２、無線モジュール３４、無線モニタランプ３６などに供給するものである。
【００１８】
電源回路部３３には、外部電源１８から供給された電力が端子台１９を介して入力される。電源回路部３３は、常用時には外部電源１８により電池３７を充電し、非常時には電池３７の電力を放電する充電回路４７、光源３２に接続され外部電源１８の遮断時に電池３７を電源として光源３２を点灯させるための点灯回路４２、外部電源１８および電池３７に接続され、電力が供給される多機能回路４８などを有している。
【００１９】
多機能回路４８は、電源回路部３３に設けられており、外部電源１８と充電回路４７と電気的に接続されており、無線モジュール３４および無線モニタランプ３６を制御する。
【００２０】
多機能回路４８には、着脱可能な無線モジュール３４および無線モニタランプ３６が接続されている。常用時は外部電源１８からの電力を無線モジュール３４および無線モニタランプ３６へ供給し、非常時は電池３７からの電力を無線モジュール４３および無線モニタ３６へ供給する。多機能回路４８は、無線モジュール３４との通電状態を検知する機能を備えており、無線モジュール３４に電力が供給できていることを検知すると、無線モニタランプ３６に電力を供給し無線モニタランプ３６を点灯させる。一方、無線モジュール３４が接続されておらず電力が供給できていないことを検知すると、無線モニタランプ３６を消灯させる。
【００２１】
無線モジュール３４は、ビーコンモジュールなどとも呼ばれ、所定距離の領域に無線信号（ビーコン）を送信および受信する機能を有する。
【００２２】
無線モジュール４３は、例えばＵＳＢ形状であり、多機能回路４８に着脱可能な構造を有し筐体内に配置されている。無線モジュール４３は、電池３７や光源３２の状態を検出し、例えば、電池３７の点検結果などの情報を無線信号として携帯端末に送出する。
【００２３】
この無線モジュール３４から送出される無線信号は、電池３７の充電状態や、光源３２の点灯状態、非常時の電源の切り替えなどの点検情報、照明装置１０の設置年月日、携帯端末の位置情報などである。また、無線モジュール３４は、無線信号を受信することもでき、携帯端末だけでなく他の照明装置１０に搭載された無線モジュール３４との間で無線信号の通信ができる。
【００２４】
無線モジュール３４は、多機能回路４８に着脱できることにより、使用者(需要者)が無線モジュール３４の有無を選択できる。また、点検情報や位置情報だけでなく、その他の機能を有した無線モジュール３４と取り替えることができるため、使用者が無線モジュールを選択し使用者の要求に応じて機能展開が可能である。
【００２５】
無線モニタランプ３６は、例えば発光ダイオード(ＬＥＤ)などの半導体発光素子が用いられる。無線モニタランプ３６は、多機能回路４８から無線モジュール３４に電力が供給されると点灯する。この無線モニタランプ３６は、少なくとも一部が外部へ露出していて蓋１６の外から見える位置に配設されており、使用者が筐体の外部から点灯状態を目視して確認できる。
【００２６】
筐体は、カバー１５と蓋１６で構成されており、一方が開口した有底円筒状に形成されたカバー１５に、金属製で円形状に形成された蓋１６を取付けて形成される。蓋１６はり中央付近に光源３２のレンズ、手動で電池３７の点検を行う点検スイッチ３５、無線モニタランプ３６が露出される開口がそれぞれ設けられている。
【００２７】
次に、照明装置１０の動作について説明する。
【００２８】
外部電源１８から電力が供給される常用時においては、電池３７は充電回路４７により充電され、多機能回路４８を介して無線モジュール３４へ電力が供給され無線信号が送出される。多機回路４８は、無線モジュール３４に電力が供給されていることを検知すると無線モニタランプ３６へ電力を供給し点灯させる。
【００２９】
一方、外部電源１８が遮断された非常時には、電池３７による電力供給により点灯回路４２を介して光源３２が点灯するとともに、多機能回路４８を介して無線モジュール３４へ電力が供給され無線信号が送出される。多機回路４８は、無線モジュール３４に電力が供給されていることを検知すると無線モニタランプ３６へ電力を供給し点灯させる。
【００３０】
次に、図４のフローチャートを参照して照明装置１０の動作を説明する。まず、照明装置１０は、外部電源１８から電力の供給があるか否かを判断し(ステップ１)、外部電源１８から電力の供給がある（停電していない）場合は、外部電源１８によって電池３７を、充電回路４７を介して充電させる(ステップ２)とともに、多機能回路４８を介して無線モジュール３４に電力を供給する(ステップ３)。次に、多機能回路４８が無線モジュール３４に通電しているか否かを検知し(ステップ４)、通電していることを検知した場合は、無線モニタランプ３６に電力を供給し点灯させ(ステップ５)ステップ１に戻る。ステップ４において、通電していない（無線モジュール３４が接続されていない）場合は、無線モニタランプ３６は消灯（ステップ６）しステップ１に戻る。
【００３１】
一方、ステップ１において外部電源１８から電力の供給が無い(停電している)場合、電池３７からの電力が供給され、点灯回路４２を介して光源３２が点灯される（ステップ７）とともに、多機能回路４８を介して無線モジュール３４に電力を供給する(ステップ８)しステップ４へ進む。
【００３２】
なお、無線モニタランプ３６は、点灯状態を変更するようにしてもよい。例えば、無線モジュール３４が正常に稼働している場合は、無縁モニタランプ３６は、緑色に発光し１０秒間隔の周期性を有して点滅する。このように、無線モニタランプ３６が周期性を有し点灯することにより、使用者の不快にならない範囲で無線モジュール３４が正常に動作しているか確認が行えると同時に、点灯による電力消費を抑えることができる。
【００３３】
また、無線モニタランプ３４は、携帯端末から送信される特定の信号により点灯状態を変化させることができる。例えば、無線モジュール３４が、携帯端末から電池３７の点検結果の要求指示信号を受信した場合、無線モニタランプ３６は緑色に発光し３回点滅したあとに、点検情報を無線モジュール３４から携帯端末へ送信する。このように、携帯端末から点検情報要求信号を受け、点検情報を送信できる状態であることを点滅することにより使用者へ報知することができる。このように、無線モニタは３６は無線モジュール３４が通電している状態を報知するだけでなく、無線モジュール３６の動作を報知することができる。
【００３４】
以上のように、本実施形態によれば、照明装置１０は、無線モジュール３４に電力が供給されると点灯する無線モニタランプ３６を備えることで、携帯端末を所持しなくてもその照明器具が無線モジュールを搭載しているか否かの判断、および無線モジュールの状態を外観で確認できることが期待できる。
【００３５】
また、本実施形態では、無線モニタランプ３６を設けた構成を例に説明したが、例えば、照明装置１０が自己点検用モニタのような既存のモニタを有している場合は、この既存のモニタを点灯させることにより無線モジュール３４の状態を報知してもよい。その場合、無線モジュール３４の状態を報知する際は、自己点検モニタが通常行う点滅動作とは異なる不規則な点滅で報知する
【００３６】
本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３７】
１０  照明装置
１８  外部電源
３２  光源
３３  電源回路部
３４  無線モジュール
３６  無線モニタランプ
３７  電池
４７  充電回路
４８  多機能回路
【図１】
2018120778.tif 000003
【図２】
2018120778.tif 000004
【図３】
2018120778.tif 000005
【図４】
2018120778.tif 000006